(57)【要約】【課題】特定の表示パターンを表示する場合に発生する走査信号線駆動回路の誤動作による画質不具合の発生を抑制することのできる液晶表示装置用駆動回路を実現する。【解決手段】同一フレームにおける、隣接する２行の走査信号線ＧＬに接続された同一列の二つの画素に対して入力される二つの画像信号の電圧差が、隣接する第１の列と第２の列とにおいて、第１の列上においては、階調を表示するために必要な最高電圧と最低電圧との電圧差の９０％以上１００％以下であり、第２の列上においては、０Ｖ以上１Ｖ以下である場合に、隣接する２行の内の少なくとも１行の走査信号線ＧＬに接続された画素において、第１の列の画素に入力される画像信号と、第２の列の画素に入力される画像信号との電圧差が、入力される画像信号よりも小さくなる類似画像信号ＤＡＴ２に、画像信号を変換する画像信号変換部１１が設けられている。【選択図】図１
2010113300.tif 000002
【特許請求の範囲】
【請求項１】
ドット反転駆動するデータ信号線駆動回路と、走査信号線駆動回路と、上記両駆動回路に制御信号を供給するための制御回路と、上記両駆動回路に電力を供給する電源回路とを備え、画素がマトリクス配置された液晶表示装置用駆動回路において、
同一フレームにおける、隣接する２行の走査信号線に接続された同一列の二つの画素に対して入力される二つの画像信号の電圧差が、
隣接する第１の列と第２の列とにおいて、
上記第１の列上においては、階調を表示するために必要な最高電圧と最低電圧との電圧差の９０％以上１００％以下であり、
上記第２の列上においては、０Ｖ以上１Ｖ以下である場合に、
上記隣接する２行の内の少なくとも１行の走査信号線に接続された画素において、第１の列の画素に入力される画像信号と、上記第２の列の画素に入力される画像信号との電圧差が、上記入力される画像信号よりも小さくなる類似画像信号に、上記画像信号を変換する画像信号変換部を備えていることを特徴とする液晶表示装置用駆動回路。
【請求項２】
上記同一フレームにおける、隣接する２行の走査信号線上の同一列の二つの画素に対して入力される二つの画像信号の電圧差が、
第１の列上においては、略階調を表示するために必要な最高電圧と最低電圧との電圧差であり、
第２の列上においては、略零であることを特徴とする請求項１に記載の液晶表示装置用駆動回路。
【請求項３】
上記類似画像信号が、同一行上における第１の列の画素に入力される画像信号の電圧と、上記第２の列の画素に入力される画像信号の電圧との略平均値の電圧を有する信号であることを特徴とする請求項１又は２に記載の液晶表示装置用駆動回路。
【請求項４】
上記隣接する２行の走査信号線上の画像信号を記憶するため、
先入力された行の画像信号を記憶する第１ラインメモリと、
後入力された行の画像信号を記憶する第２ラインメモリとを備えていることを特徴とする請求項１から３の何れか１項に記載の液晶表示装置用駆動回路。
【請求項５】
上記画像信号変換部は、入力される画像信号に応じて、選択できる第１ルックアップテーブルと第２ルックアップテーブルとを備えており、
上記第１ルックアップテーブル及び第２ルックアップテーブルには、画像信号の有する輝度情報と階調電圧との相関に関するデータが格納されており、
上記第２ルックアップテーブルに格納されているデータの階調電圧の幅は、上記第１ルックアップテーブルに格納されているデータの階調電圧の幅よりも狭く、
上記画像信号変換部は、画像信号に対する階調電圧を定める際、上記第１ルックアップテーブルから第２ルックアップテーブルにその選択を変えることで、上記画像信号を上記類似画像信号に変換することを特徴する請求項１から４の何れか１項に記載の液晶表示装置用駆動回路。
【請求項６】
ドット反転駆動するデータ信号線駆動回路と、走査信号線駆動回路と、上記両駆動回路に制御信号を供給するための制御回路と、上記両駆動回路に電力を供給する電源回路とを備え、画素がマトリクス配置された液晶表示装置用駆動回路の駆動方法において、
同一フレームにおける、隣接する２行の走査信号線に接続された同一列の二つの画素に対して入力される二つの画像信号の電圧差が、
隣接する第１の列と第２の列とにおいて、
上記第１の列上においては、階調を表示するために必要な最高電圧と最低電圧との電圧差の９０％以上１００％以下であり、
上記第２の列上においては、０Ｖ以上１Ｖ以下である場合に、
上記隣接する２行の内の少なくとも一行上において、第１の列の画素に入力される画像信号と、上記第２の列の画素に入力される画像信号との電圧差が、より小さくなる類似画像信号に、上記画像信号を変換することを特徴とする液晶表示装置用駆動回路の駆動方法。
【請求項７】
上記同一フレームにおける、隣接する２行の走査信号線上の同一列の二つの画素に対して入力される二つの画像信号の電圧差が、
第１の列上においては、略階調を表示するために必要な最高電圧と最低電圧との電圧差であり、
第２の列上においては、略零である場合に、上記画像信号を変換することを特徴とする請求項６に記載の液晶表示装置用駆動回路の駆動方法。
【請求項８】
上記類似画像信号が、同一行上における第１の列の画素に入力される画像信号の電圧と、上記第２の列の画素に入力される画像信号の電圧との略平均値の電圧を有する信号であることを特徴とする請求項６又は７に記載の液晶表示装置用駆動回路の駆動方法。
【請求項９】
請求項１から５の何れか１項に記載の液晶表示装置用駆動回路を備えていることを特徴とする液晶表示装置。
【発明の詳細な説明】
【技術分野】
【０００１】
本発明は、液晶表示装置用駆動回路およびこの液晶表示装置用駆動回路を備えている液晶表示装置に関するものである。
【背景技術】
【０００２】
近年、ブラウン管（ＣＲＴ）に代わり急速に普及している液晶表示装置は、省エネ型、薄型、軽量型等の特徴を活かしテレビ、モニター、携帯電話等に幅広く利用されている。
【０００３】
液晶表示装置を駆動する時には、液晶分子に直流電圧（ＤＣ電圧）を長い期間、印加すると特性の劣化が起こるので、これを防止するため、印加する電圧の極性を周期的に変えながら駆動させる極性反転駆動方式を用いるのが一般的である。
【０００４】
図４は、従来の液晶表示装置の各種極性反転駆動方式を説明するための図である。
【０００５】
図４（ａ）は、フレーム反転駆動方式を図示しており、共通電極電圧に対して、液晶に印加されるデータ電圧の極性が、フレーム単位で同一となるように印加する駆動方式である。すなわち、図示するように、第１フレームにおいて、全画素に正極性のデータ電圧が印加された場合、次の第２フレームにおいては、全画素に負極性の電圧が印加されるような駆動方式である。この駆動方式は、スイッチングにより発生する消費電力は小さいが、正極性と負極性とにおいての透過率の非対称現象によるフリッカーには、敏感であるという問題がある。
【０００６】
図４（ｂ）は、ライン反転駆動方式を図示しており、液晶に印加されるデータ電圧の極性が、水平ライン単位で変わる駆動方式である。図示されているように、第１フレームにおいて、奇数番目の水平ラインの全画素に正極性のデータ電圧が印加され、偶数番目の水平ラインの全画素に負極性のデータ電圧が印加された場合は、次の第２フレームにおいては、奇数番目の水平ラインの全画素に負極性のデータ電圧が印加され、偶数番目の水平ラインの全画素には正極性のデータ電圧が印加される方式である。この駆動方式は、隣接する水平ライン間で、反対極性の電圧が印加されるため、隣接する水平ライン間の輝度偏差が、空間平均化により緩和されるので、上記フレーム反転駆動方式に比べ、フリッカー現象は改善される。また、垂直方向には、反対極性の電圧が分布し、データ間に発生するカップリング現象が相殺されるので、上記フレーム反転駆動方式に比べ、垂直方向のクロストークも改善される。しかし、水平方向には、同一極性の電圧が分布しているため、水平方向のクロストークが発生する。
【０００７】
図４（ｃ）は、カラム反転駆動方式を図示しており、第１フレームにおいて、奇数番目の垂直ラインの全画素に正極性のデータ電圧が印加され、偶数番目の垂直ラインの全画素に負極性のデータ電圧が印加された場合は、次の第２フレームにおいては、奇数番目の垂直ラインの全画素に負極性のデータ電圧が印加され、偶数番目の垂直ラインの全画素には正極性のデータ電圧が印加される方式である。上述したライン反転駆動方式と同じように、隣接する垂直ライン間の輝度偏差が、空間平均化により緩和されるので、上記フレーム反転駆動方式に比べ、フリッカー現象は改善される。また、上記フレーム反転駆動方式に比べ、水平方向のクロストークも改善される。しかし、垂直方向のクロストークが発生する。
【０００８】
図４（ｄ）は、ドット反転駆動方式を図示しており、現在、最も優れた画質を実現できる駆動方式であるため、高解像度の液晶表示装置の駆動方式として主に採用されている。図示されているように、上下左右全ての方向の隣接する画素間において、印加されるデータ電圧の極性が反対となっているため、空間平均化により、フリッカー現象を最少化することができる。
【特許文献１】特開平１１−３３８４３３号公報（公開日：１９９９年１２月１０日）
【特許文献２】特開２００２−２２１９４２号公報（公開日：２００２年８月９日）
【発明の開示】
【発明が解決しようとする課題】
【０００９】
しかしながら、本発明者らは、上述したドット反転駆動方式を用いて、液晶表示装置を駆動させる時において、詳しくは後述する特定の表示パターン（キラーパターン）を表示させた場合、走査信号線駆動回路が誤動作され、画像に乱れが生じることに気付いた。
【００１０】
この原因について、本発明者らが調査を行ったところ、上記現象は、下記のメカニズムに基因していることが判明した。
【００１１】
＜問題となる特定の表示パターン＞
先ず、問題となる特定の表示パターン（キラーパターン）について詳しく説明をする。
【００１２】
図５は、ドット反転駆動方式を用いて、液晶表示装置を駆動させる時において、走査信号線駆動回路が誤動作され、画像に乱れが生じる表示パターンを例示的に示す図である。なお、図中、白は白ＭＡＸ階調を、黒は黒ＭＡＸ階調を、（＋）は正極性を、（−）は負極性をそれぞれ示している。
【００１３】
図５（ａ）は、正極性（負極性）の白ＭＡＸ階調の画素とこれと反対極性の負極性（正極性）の白ＭＡＸ階調の画素とが、連続して縦方向に２画素繋がっており、その左右には、負極性（正極性）の黒ＭＡＸ階調の画素とこれと反対極性の正極性（負極性）の黒ＭＡＸ階調の画素とが、連続して縦方向に２画素繋がっている表示が並ぶ２Ｈ市松表示パターンを示している。
【００１４】
電圧非印加時に黒ＭＡＸを表示するノーマリブラックパネルを駆動する場合には、あるｎ行上のある１画素が正極性（負極性）の白ＭＡＸ階調を表示し、上記画素と縦方向に最隣接するｎ＋１行上の１画素がこれと反対極性の負極性（正極性）の白ＭＡＸ階調を表示する時、上記表示に伴い、データ信号線の信号電圧の変化量は最大となる。一方、あるｎ行上のある１画素が負極性（正極性）の黒ＭＡＸ階調を表示し、上記画素と縦方向に最隣接するｎ＋１行上の１画素がこれと反対極性の正極性（負極性）の黒ＭＡＸ階調を表示する時は、上記表示に伴い、データ信号線の信号電圧の変化量が最小となる。
【００１５】
また、電圧非印加時に白ＭＡＸを表示するノーマリホワイトパネルを駆動する場合には、あるｎ行上のある１画素が負極性（正極性）の黒ＭＡＸ階調を表示し、上記画素と縦方向に最隣接するｎ＋１行上の１画素がこれと反対極性の正極性（負極性）の黒ＭＡＸ階調を表示する時、上記表示に伴い、データ信号線の信号電圧の変化量が最大となる。一方、あるｎ行上のある１画素が正極性（負極性）の白ＭＡＸ階調を表示し、上記画素と縦方向に最隣接するｎ＋１行上の１画素がこれと反対極性の負極性（正極性）の白ＭＡＸ階調を表示する時は、上記表示に伴う、データ信号線の信号電圧の変化量が最小となる。
【００１６】
すなわち、図５（ａ）の表示パターンは、上記データ信号線の信号電圧の変化量が最大となる表示と最小となる表示とが、図示されているように、横方向において、交互に繰り返されるとともに、同一行上においては、上記データ信号線の信号電圧の変化量が最大となる箇所の上記データ信号線の信号電圧の変化の方向が高から低または、低から高のどちらかに揃っている表示パターンである。
【００１７】
図５（ｂ）は、正極性（負極性）の白ＭＡＸ階調の画素とこれと反対極性の負極性（正極性）の白ＭＡＸ階調の画素とが、交互に連続して縦方向に７６８画素繋がっており、その左右には、負極性（正極性）の黒ＭＡＸ階調の画素とこれと反対極性の正極性（負極性）の黒ＭＡＸ階調の画素とが、交互に連続して縦方向に７６８画素繋がっている表示が並ぶ７６８Ｈ市松表示パターン（縦ストライプ表示パターン）を示している。
【００１８】
すなわち、図５（ｂ）の表示パターンも、上記データ信号線の信号電圧の変化量が最大となる表示と最小となる表示とが、図示されているように、横方向において、交互に繰り返されるとともに、同一行上においては、上記データ信号線の信号電圧の変化量が最大となる箇所の上記データ信号線の信号電圧の変化の方向が高から低または、低から高のどちらかに揃っている表示パターンである。
【００１９】
また、図示は省略するが、３Ｈ〜７６７Ｈ市松表示パターンも、図５（ａ）および図５（ｂ）と同様に、データ信号線の信号電圧の変化量が最大となる表示と最小となる表示とが、横方向において、交互に繰り返されるとともに、同一行上においては、上記データ信号線の信号電圧の変化量が最大となる箇所の上記データ信号線の信号電圧の変化の方向が高から低または、低から高のどちらかに揃っている表示パターンである。
【００２０】
なお、２Ｈ市松表示パターンから７６８Ｈ市松表示パターンになるにつれて、データ信号線の信号電圧の変化量が最大となる数が増加するので、画像に与える悪影響は増加することとなる。
【００２１】
一方、全面白ＭＡＸ階調を表示する白ベタ表示パターンや全面黒ＭＡＸ階調を表示する黒ベタ表示パターンの場合、データ信号線の信号電圧の変化量が最大となる数は、最も多くなるが、同一行上において、上記データ信号線の信号電圧の変化の方向が一列毎に、逆（高から低と低から高）になっているため、隣り合う画素同士の充放電で、上記電圧の変化を打ち消すことができるので、問題となる特定の表示パターン（キラーパターン）にはならない。
【００２２】
以上のように、上記データ信号線の信号電圧の変化量が大きく、かつ、同一行上において、上記データ信号線の信号電圧の変化量が大きい箇所の上記データ信号線の信号電圧の変化の方向が高から低または、低から高のどちらかに揃っている表示パターンを表示する場合は、その程度に差は存在するが、走査信号線駆動回路が誤動作され、画像に乱れが生じることとなる。
【００２３】
また、問題となる特定の表示パターンとしては、上記で例に挙げた表示パターン以外にも多数存在することは言うまでもない。
【００２４】
以下、上述した特定の表示パターンを表示する場合に発生する走査信号線駆動回路の誤動作による画質不具合のメカニズムについて、詳しく説明する。
【００２５】
＜走査信号線駆動回路の誤動作による画質不具合のメカニズム＞
図６は、薄膜トランジスタ（ＴＦＴ）を用いた従来のアクティブマトリックス型液晶表示装置の要部構成を示すブロック図である。
【００２６】
上記液晶表示装置２０１は、図６に示すように、マトリックス状に配された複数の画素電極２０７を有する液晶パネル２０２、液晶パネル２０２のデータ信号線ＳＬを駆動するデータ信号線駆動回路２０３、液晶パネル２０２の走査信号線ＧＬを駆動する走査信号線駆動回路２０４、上記両駆動回路２０３・２０４に電力を供給する電源回路２０５、上記両駆動回路２０３・２０４に制御信号を供給する制御回路２０６を備えている。
【００２７】
上記液晶パネル２０２には、上記複数の画素電極２０７と複数のデータ信号線ＳＬと、これらデータ信号線ＳＬに交差するように複数の走査信号線ＧＬが設けられている。上記各データ信号線ＳＬと上記各走査信号線ＧＬとが交差する箇所に対応して上記画素電極２０７が設けられている。
【００２８】
また、上記制御回路２０６は、液晶パネル２０２に表示する画像の映像信号ＤＡＴを出力する。上記映像信号ＤＡＴは、上記画像の各画素の表示状態を示す映像データが時分割で転送されてなる。さらには、上記制御回路２０６は、上記映像信号ＤＡＴとともに、映像信号ＤＡＴを液晶パネル２０２に正しく表示するためのタイミング信号として、ソースクロック信号ＳＣＫおよびソーススタートパルス信号ＳＳＰを、データ信号線駆動回路２０３に出力し、ゲートクロック信号ＧＣＫおよびゲートスタートパルス信号ＧＳＰを、走査信号線駆動回路２０４に出力する。
【００２９】
上記走査信号線駆動回路２０４は、上記ゲートクロック信号ＧＣＫなどのタイミング信号に同期して複数の走査信号線ＧＬを順次選択する。一方、上記データ信号線駆動回路２０３は、上記ソースクロック信号ＳＣＫなどのタイミング信号に同期して動作し、各データ信号線ＳＬに応じたタイミングを特定し、上記各タイミングで上記映像信号ＤＡＴをサンプリングし、サンプリング結果に応じた信号を、上記各データ信号線ＳＬに書き込む。
【００３０】
上記画素電極２０７の大きさに分画されている上記液晶パネル２０２の各画素は、それぞれに対応する走査信号線ＧＬが選択されている間、それぞれに対応するデータ信号線ＳＬに出力されたデータに応じて、それぞれの明るさを制御し、映像信号ＤＡＴが示す画像を表示する。
【００３１】
図７は、上記液晶表示装置２０１に備えられている液晶パネル２０２の各画素の等価回路を示しており、走査信号線ＧＬにリップルが発生することを説明するための図である。
【００３２】
スイッチング素子として薄膜トランジスタ（以下ＴＦＴと称する）２０８を用いた上記液晶表示装置２０１においては、ＴＦＴ２０８がオンになった時、各データ信号線ＳＬから供給される信号電圧はＴＦＴ２０８を通じてドレイン電圧として画素電極２０７に印加される構成となっている。
【００３３】
さらに、図７に図示されているように、上記液晶表示装置２０１の場合は、各画素の画素電極２０７と対向電極２１０との間に液晶を挟んで液晶容量Ｃｌを構成しているが、液晶容量Ｃｌに充電した電荷の減衰時間を長くするため、液晶容量Ｃｌと並列に補助容量Ｃｓを接続する構成である。
【００３４】
以下、問題となる特定の表示パターン（キラーパターン）の一例として、上記図５（ａ）の表示パターン、すなわち、２Ｈ市松表示パターンを上記液晶表示装置２０１に備えられている液晶パネル２０２に表示する場合を例に挙げて、ＶＧＬ（ゲートＬｏｗ電圧）が印加されている走査信号線ＧＬにリップルが発生するメカニズムを詳しく説明する。
【００３５】
例えば、上記２Ｈ市松表示パターンを表示する場合、正極性の白ＭＡＸ階調に該当する電圧を１５．２Ｖ、負極性の白ＭＡＸ階調に該当する電圧を０．２Ｖとすると、リップルが発生する走査信号線ＧＬとこれと関連したデータ信号線ＳＬの電圧の変化を図７に示す。
【００３６】
先ず、走査信号線ＧＬのｎ行目（ＧＬｎ）が選択されている期間には、ＧＬｎに、ＶＧＨ（ゲートＨｉｇｈ電圧）が印加され、ＧＬｎ以外の走査信号線ＧＬには、ＶＧＬ（ゲートＬｏｗ電圧）が印加される。この時、該当データ信号線ＳＬからは、正極性の白ＭＡＸ階調に該当する電圧１５．２Ｖが印加される。
【００３７】
次に、走査信号線ＧＬのｎ＋１行目（ＧＬｎ＋１）が選択されている期間には、ＧＬｎ＋１に、ＶＧＨ（ゲートＨｉｇｈ電圧）が印加され、ＧＬｎ＋１以外の走査信号線ＧＬには、ＶＧＬ（ゲートＬｏｗ電圧）が印加される。この時、該当データ信号線ＳＬからは、負極性の白ＭＡＸ階調に該当する電圧０．２Ｖが印加される。
【００３８】
したがって、上記２Ｈ市松表示パターンを表示する場合、該当データ信号線ＳＬにおいては、１５Ｖの電圧変化を伴うこととなる。
【００３９】
図７に図示されているように、上記液晶パネル２０２には、走査信号線ＧＬとデータ信号線ＳＬとが絶縁膜を介して交差している箇所に、既成容量２０９が存在するため、ＧＬｎにＶＧＬ（ゲートＬｏｗ電圧）が印加され、該当データ信号線ＳＬに印加される電圧が１５．２Ｖから０．２Ｖに変わる時に、ＶＧＬ（ゲートＬｏｗ電圧）が印加されているＧＬｎには、図示するような付き下げのリップルが発生することとなる。
【００４０】
図７では、付き下げのリップルのみを図示しているが、データ信号線ＳＬに印加される電圧が０．２Ｖから１５．２Ｖに変わる時には、ＶＧＬ（ゲートＬｏｗ電圧）が印加されているＧＬｎには、付き上げのリップルが発生するのはもちろんである。
【００４１】
図８は、走査信号線駆動回路２０４の要部構成を示す図である。
【００４２】
上記走査信号線駆動回路２０４は、ｓ個の走査信号線ＧＬに対応できるようにｓ個のシフトレジスタ２１１と、上記シフトレジスタ２１１からのｓ個の各出力をＴＦＴ２０８のオン・オフ電圧に変換するｓ個のレベルシフター２１２と、上記走査信号線ＧＬの負荷を考慮して電流を増幅するｓ個のバッファ部２１３とで構成されている。
【００４３】
上記走査信号線駆動回路２０４の出力を開始させるためのゲートスタートパルス信号ＧＳＰがシフトレジスタ２１１に入力された後、シフトレジスタ２１１では、ゲートクロック信号ＧＣＫが入力されるたびに、Ｈｉｇｈレベルの出力が順次シフトするように、ゲートパルスＧＰ（１）〜ＧＰ（ｓ）が生成される。合わせて、上記ゲートスタートパルス信号ＧＳＰが、次のシフトレジスタに、カスケード信号ＣＡＳＣＡＤＥとして順次伝達される。
【００４４】
一方、上記レベルシフター２１２は、上記シフトレジスタ２１１からの出力がＨｉｇｈレベル時には、ＶＧＨ（ゲートＨｉｇｈ電圧）が上記バッファ部２１３に出力され、Ｌｏｗレベル時には、ＶＧＬ（ゲートＬｏｗ電圧）が上記バッファ部２１３に出力されるように構成されている。
【００４５】
図６および図８に図示されているように、走査信号線駆動回路２０４には、電源回路２０５からＶＧＨ（ゲートＨｉｇｈ電圧）とＶＧＬ（ゲートＬｏｗ電圧）とが供給され、さらには、制御回路２０６からは、ゲートクロック信号ＧＣＫおよびゲートスタートパルス信号ＧＳＰが供給される構成となっている。
【００４６】
図９は、上記走査信号線駆動回路２０４に備えられたロジック電源部２１４を概略的に示す図である。
【００４７】
上記走査信号線駆動回路２０４は、その構造から基板電位がＶＧＬ（ゲートＬｏｗ電圧）となっているため、走査信号線ＧＬに印加されているＶＧＬ（ゲートＬｏｗ電圧）に発生したリップルは、図９に図示されているように、上記走査信号線駆動回路２０４内の全てのロジック電源（ＶＣＣ/ＧＮＤ）に影響を及ぼし、伝搬されることとなる。なお、上記電源（ＶＣＣ/ＧＮＤ）への影響の水準は、配線抵抗や既成容量にも依存しており、配線抵抗が高い場合、特に問題となる。
【００４８】
図１０は、上記走査信号線駆動回路２０４において、信号が誤認識される期間が発生する場合を示す図である。
【００４９】
上述したように、走査信号線ＧＬに印加されているＶＧＬ（ゲートＬｏｗ電圧）に発生した付き下げリップルは、図１０に図示されているように、上記走査信号線駆動回路２０４内の全てのロジック電源（ＶＣＣ/ＧＮＤ）に影響を及ぼし、伝搬されるので、このように付き下げリップルが発生した期間においては、ＶＣＣとＧＮＤとによって定まるＨ認識レベルも付き下げられることとなる。
【００５０】
しかし、外部の制御回路２０６から供給されるゲートスタートパルス信号ＧＳＰは、上記リップルの影響を受けないため、図１０に図示されているように、本来、Ｌｏｗレベルのゲートスタートパルス信号ＧＳＰが送られている期間にも係らず、Ｈ認識レベルが、上記リップルによって付き下げられている期間においては、Ｈ認識レベルとゲートスタートパルス信号ＧＳＰが逆転し、信号が誤認識される期間が発生している。したがって、上記走査信号線駆動回路２０４が誤動作され、画像に乱れが生じることとなる。
【００５１】
図１１（ａ）は、外部から走査信号線駆動回路２０４に入力されるゲートスタートパルス信号ＧＳＰを示し、図１１（ｂ）は、リップル発生時に、走査信号線駆動回路２０４内部で認識されるゲートスタートパルス信号ＧＳＰを示す。
【００５２】
図１１（ａ）は、外部から走査信号線駆動回路２０４に入力されるゲートスタートパルス信号ＧＳＰを示し、図１１（ｂ）は、リップル発生時に、走査信号線駆動回路２０４内を通して順次転送されるカスケード信号ＣＡＳＣＡＤＥを示す。
【００５３】
図１１（ａ）に図示されているように、外部から走査信号線駆動回路２０４に入力されるゲートスタートパルス信号ＧＳＰは、１フレームの開始時に１回立ち上がるので、一定のタイミングとなっているが、図１１（ｂ）においては、上述した誤認識の影響により、上記走査信号線駆動回路２０４内を通して順次転送されるカスケード信号ＣＡＳＣＡＤＥがランダムに立ち上がっている。
【００５４】
上記のように、上記走査信号線駆動回路２０４が、複数の走査信号線駆動回路が接続されて構成されている場合においては、特に１個目の走査信号線駆動回路は、外部の制御回路２０６で生成された信号を走査信号線駆動回路内部でバッファリングしているため、走査信号線駆動回路内部のＶＣＣ/ＧＮＤにリップルが発生した場合、誤認識され易くなる。
【００５５】
本発明は、上記の問題点に鑑みてなされたものであり、特定の表示パターンを表示する場合に発生する走査信号線駆動回路の誤動作による画質不具合の発生を抑制することのできる液晶表示装置用駆動回路を提供することを目的とする。
【００５６】
また、特定の表示パターンを表示する場合に発生する走査信号線駆動回路の誤動作による画質不具合の発生を抑制することのできる液晶表示装置用駆動回路の駆動方法を提供することを目的とする。
【００５７】
また、上記液晶表示装置用駆動回路を備えることにより、特定の表示パターンを表示する場合においても、画質不具合が発生しない液晶表示装置を提供することを目的とする。
【課題を解決するための手段】
【００５８】
本発明の液晶表示装置用駆動回路は、上記の課題を解決するために、ドット反転駆動するデータ信号線駆動回路と、走査信号線駆動回路と、上記両駆動回路に制御信号を供給するための制御回路と、上記両駆動回路に電力を供給する電源回路とを備え、画素がマトリクス配置された液晶表示装置用駆動回路において、同一フレームにおける、隣接する２行の走査信号線に接続された同一列の二つの画素に対して入力される二つの画像信号の電圧差が、隣接する第１の列と第２の列とにおいて、上記第１の列上においては、階調を表示するために必要な最高電圧と最低電圧との電圧差の９０％以上１００％以下であり、上記第２の列上においては、０Ｖ以上１Ｖ以下である場合に、上記隣接する２行の内の少なくとも１行の走査信号線に接続された画素において、第１の列の画素に入力される画像信号と、上記第２の列の画素に入力される画像信号との電圧差が、上記入力される画像信号よりも小さくなる類似画像信号に、上記画像信号を変換する画像信号変換部を備えていることを特徴としている。
【００５９】
本発明の液晶表示装置用駆動回路の駆動方法は、上記の課題を解決するために、ドット反転駆動するデータ信号線駆動回路と、走査信号線駆動回路と、上記両駆動回路に制御信号を供給するための制御回路と、上記両駆動回路に電力を供給する電源回路とを備え、画素がマトリクス配置された液晶表示装置用駆動回路の駆動方法において、同一フレームにおける、隣接する２行の走査信号線に接続された同一列の二つの画素に対して入力される二つの画像信号の電圧差が、隣接する第１の列と第２の列とにおいて、上記第１の列上においては、階調を表示するために必要な最高電圧と最低電圧との電圧差の９０％以上１００％以下であり、上記第２の列上においては、０Ｖ以上１Ｖ以下である場合に、上記隣接する２行の内の少なくとも一行上において、第１の列の画素に入力される画像信号と、上記第２の列の画素に入力される画像信号との電圧差が、より小さくなる類似画像信号に、上記画像信号を変換することを特徴としている。
【００６０】
上記構成によれば、上述した特定の表示パターン（キラーパターン）に成り得る、すなわち、同一フレームにおける、隣接する２行の走査信号線上の同一列の二つの画素に対して入力される二つの画像信号の電圧差が、第１の列上においては、階調を表示するために必要な最高電圧と最低電圧との電圧差の９０％以上１００％以下であり、第２の列上においては、０Ｖ以上１Ｖ以下であり、かつ、上記第１の列と上記第２の列とが隣接する画像信号が入力された場合には、上記画像信号がデータ信号線駆動回路に入力される前に、上記画像信号がリップルを発生させる画像信号であるかの判断を行い、リップルが発生するような画像信号である場合には、上記画像信号変換部で、リップルの発生を抑制する画像信号に変換した後に、上記データ信号線駆動回路に画像信号を送る構成となっている。
【００６１】
上記画像信号変換部は、リップルが発生するような画像信号が入力された場合に、上記隣接する２行の内の少なくとも１行の走査信号線に接続された画素において、第１の列の画素に入力される画像信号と、上記第２の列の画素に入力される画像信号との電圧差が、より小さくなる類似画像信号に、上記画像信号を変換する。上記の画像信号の変換により、リップルの発生を抑制することができる。
【００６２】
以上のように、上記画像信号を上記のような類似画像信号に切り替えることにより、リップルの発生を抑制することができ、特定の表示パターンを表示する場合に発生する走査信号線駆動回路の誤動作による画質不具合の発生を抑制することのできる液晶表示装置用駆動回路または、液晶表示装置用駆動回路の駆動方法を実現することができる。
【００６３】
本発明の液晶表示装置用駆動回路は、上記同一フレームにおける、隣接する２行の走査信号線上の同一列の二つの画素に対して入力される二つの画像信号の電圧差が、第１の列上においては、略階調を表示するために必要な最高電圧と最低電圧との電圧差であり、第２の列上においては、略零であることが好ましい。
【００６４】
本発明の液晶表示装置用駆動回路の駆動方法は、上記同一フレームにおける、隣接する２行の走査信号線上の同一列の二つの画素に対して入力される二つの画像信号の電圧差が、第１の列上においては、略階調を表示するために必要な最高電圧と最低電圧との電圧差であり、第２の列上においては、略零である場合に、上記画像信号を変換することが好ましい。
【００６５】
上記構成によれば、上記同一フレームにおける、隣接する２行の走査信号線上の同一列の二つの画素に対して入力される二つの画像信号の電圧差が、第１の列上においては、略階調を表示するために必要な最高電圧と最低電圧との電圧差であり、第２の列上においては、略零であるようなリップルの発生がさらに著しく、上記走査信号線駆動回路の誤動作による画質不具合の発生も著しい画像信号が入力された場合に、上記同一行上において、第１の列の画素に入力される画像信号と、上記第２の列の画素に入力される画像信号との電圧差が、より小さくなる類似画像信号に、上記画像信号を変換する。上記の画像信号の変換により、リップルの発生を抑制することができる。
【００６６】
以上のように、上記画像信号を上記のような類似画像信号に切り替えることにより、リップルの発生を抑制することができ、特定の表示パターンを表示する場合に発生する走査信号線駆動回路の誤動作による画質不具合の発生を抑制することのできる液晶表示装置用駆動回路または、液晶表示装置用駆動回路の駆動方法を実現することができる。
【００６７】
本発明の液晶表示装置用駆動回路は、上記類似画像信号が、同一行上における第１の列の画素に入力される画像信号の電圧と、上記第２の列の画素に入力される画像信号の電圧との略平均値の電圧を有する信号であることが好ましい。
【００６８】
本発明の液晶表示装置用駆動回路の駆動方法は、上記類似画像信号が、同一行上における第１の列の画素に入力される画像信号の電圧と、上記第２の列の画素に入力される画像信号の電圧との略平均値の電圧を有する信号であることが好ましい。
【００６９】
上記構成によれば、上記第１の列の画素に入力される画像信号と、上記第２の列の画素に入力される画像信号との電圧が、何れも上記各画像信号の電圧の略平均値であるため、上記第１の列の画素に入力される画像信号と、上記第２の列の画素に入力される画像信号との電圧の絶対値が等しく、かつ、その符号が逆となる。
【００７０】
したがって、隣り合う画素同士の充放電で、上記電圧の変化を打ち消すことができるので、リップルの発生を抑制することができる。
【００７１】
以上のように、上記画像信号を上記のような類似画像信号に切り替えることにより、リップルの発生を抑制することができ、特定の表示パターンを表示する場合に発生する走査信号線駆動回路の誤動作による画質不具合の発生を抑制することのできる液晶表示装置用駆動回路または、液晶表示装置用駆動回路の駆動方法を実現することができる。
【００７２】
本発明の液晶表示装置用駆動回路は、上記隣接する２行の走査信号線上の画像信号を記憶するため、先入力された行の画像信号を記憶する第１ラインメモリと、後入力された行の画像信号を記憶する第２ラインメモリとを備えていることが好ましい。
【００７３】
上記構成によれば、上記第１ラインメモリには、先入力された行の画像信号を記憶し、上記第２ラインメモリには、後入力された行の画像信号を記憶する構成となっている。
【００７４】
以上のように、２つのラインメモリを用いることにより、隣接する２行の走査信号線上の画像信号を記憶することができるので、回路構成を複雑にすることなく、特定の表示パターンを表示する場合に発生する走査信号線駆動回路の誤動作による画質不具合の発生を抑制することのできる液晶表示装置用駆動回路を実現することができる。
【００７５】
本発明の液晶表示装置用駆動回路において、上記画像信号変換部は、入力される画像信号に応じて、選択できる第１ルックアップテーブルと第２ルックアップテーブルとを備えており、上記第１ルックアップテーブル及び第２ルックアップテーブルには、画像信号の有する輝度情報と階調電圧との相関に関するデータが格納されており、上記第２ルックアップテーブルに格納されているデータの階調電圧の幅は、上記第１ルックアップテーブルに格納されているデータの階調電圧の幅よりも狭く、上記画像信号変換部は、画像信号に対する階調電圧を定める際、上記第１ルックアップテーブルから第２ルックアップテーブルにその選択を変えることで、上記画像信号を変換することが好ましい。
【００７６】
上記構成によれば、例えば、特定の表示パターン（キラーパターン）以外の画像信号が入力された時用度に、階調と輝度の関係が、ガンマ値２．２のカーブになるように補正するための第１ルックアップテーブルと、特定の表示パターン（キラーパターン）の画像信号が入力された時用度に、上記同一行上において、第１の列の画素に入力される画像信号と、上記第２の列の画素に入力される画像信号との電圧差が、より小さくなる類似画像信号に変換するための第２ルックアップテーブルとを備えている。
【００７７】
そのため、画像信号に対する階調電圧を定める際に、選択するルックアップテーブルを変えることにより、隣接する画素に入力される画像信号の電圧差（例えば第１の列の画素に入力される画像信号と、上記第２の列の画素に入力される画像信号との電圧差）を小さくすることができる。
【００７８】
したがって、上記構成によれば、特定の表示パターン（キラーパターン）以外の画像信号が入力された時と特定の表示パターン（キラーパターン）の画像信号が入力された時とに分けて画像信号の補正を行うことができる液晶表示装置用駆動回路を実現することができる。
【００７９】
本発明の液晶表示装置は、上記の課題を解決するために、上記液晶表示装置用駆動回路を備えていることを特徴としている。
【００８０】
上記構成によれば、特定の表示パターンを表示する場合に発生する走査信号線駆動回路の誤動作による画質不具合の発生を抑制することのできる液晶表示装置用駆動回路を備えることにより、特定の表示パターンを表示する場合においても、画質不具合が発生しない液晶表示装置を実現することができる。
【発明の効果】
【００８１】
本発明の液晶表示装置用駆動回路は、以上のように、同一フレームにおける、隣接する２行の走査信号線に接続された同一列の二つの画素に対して入力される二つの画像信号の電圧差が、隣接する第１の列と第２の列とにおいて、上記第１の列上においては、階調を表示するために必要な最高電圧と最低電圧との電圧差の９０％以上１００％以下であり、上記第２の列上においては、０Ｖ以上１Ｖ以下である場合に、上記隣接する２行の内の少なくとも１行の走査信号線に接続された画素において、第１の列の画素に入力される画像信号と、上記第２の列の画素に入力される画像信号との電圧差が、上記入力される画像信号よりも小さくなる類似画像信号に、上記画像信号を変換する画像信号変換部を備えているものである。
【００８２】
また、本発明の液晶表示装置用駆動回路の駆動方法は、以上のように、同一フレームにおける、隣接する２行の走査信号線に接続された同一列の二つの画素に対して入力される二つの画像信号の電圧差が、隣接する第１の列と第２の列とにおいて、上記第１の列上においては、階調を表示するために必要な最高電圧と最低電圧との電圧差の９０％以上１００％以下であり、上記第２の列上においては、０Ｖ以上１Ｖ以下である場合に、上記隣接する２行の内の少なくとも一行上において、第１の列の画素に入力される画像信号と、上記第２の列の画素に入力される画像信号との電圧差が、より小さくなる類似画像信号に、上記画像信号を変換する方法である。
【００８３】
また、本発明の液晶表示装置は、以上のように、上記液晶表示装置用駆動回路を備えているものである。
【００８４】
それゆえ、特定の表示パターン（キラーパターン）を表示する場合に発生する走査信号線駆動回路の誤動作による画質不具合の発生を抑制することのできる液晶表示装置用駆動回路を実現できるという効果を奏する。
【００８５】
また、特定の表示パターン（キラーパターン）を表示する場合に発生する走査信号線駆動回路の誤動作による画質不具合の発生を抑制することのできる液晶表示装置用駆動回路の駆動方法を実現できるという効果を奏する。
【００８６】
また、上記液晶表示装置用駆動回路を備えることにより、特定の表示パターン（キラーパターン）を表示する場合においても、画質不具合が発生しない液晶表示装置を実現できるという効果を奏する。
【発明を実施するための最良の形態】
【００８７】
以下、図面に基づいて本発明の実施の形態について例示的に詳しく説明する。ただし、この実施の形態に記載されている構成部品の寸法、材質、形状、その相対配置などは、特に限定的な記載がない限り、この発明の範囲をそれのみに限定する趣旨ではなく、単なる説明例に過ぎない。
【００８８】
本発明の一実施の形態の液晶表示装置は、特定の表示パターン（キラーパターン）を表示する場合においても、画質不具合が発生しない液晶表示装置である。
【００８９】
以下、図１〜３に基づいて説明する。
【００９０】
〔実施の形態１〕
図１は、本発明の一実施の形態の液晶表示装置１の要部構成を示すブロック図である。
【００９１】
上記液晶表示装置１は、図１に示すように、マトリックス状に配された複数の画素電極７を有する液晶パネル２、液晶パネル２のデータ信号線ＳＬを駆動するデータ信号線駆動回路３、液晶パネル２の走査信号線ＧＬを駆動する走査信号線駆動回路４、上記両駆動回路３・４に電力を供給する電源回路５、上記両駆動回路３・４に制御信号を供給する制御回路６を備えている。
【００９２】
また、本発明の一実施の形態の液晶表示装置１に備えられた液晶表示装置用駆動回路１２は、上記データ信号線駆動回路３と、上記走査信号線駆動回路４と、上記電源回路５と、上記制御回路６とを備えている。
【００９３】
上記液晶パネル２には、上記複数の画素電極７と複数のデータ信号線ＳＬと、これらデータ信号線ＳＬに交差するように複数の走査信号線ＧＬが設けられている。また、上記各データ信号線ＳＬと上記各走査信号線ＧＬとが交差する箇所に対応して上記画素電極７と図示は省略するが、スイッチング素子としてＴＦＴとが設けられている。
【００９４】
本実施の形態においては、上記液晶パネル２として、電圧非印加時に黒を表示するノーマリブラックパネルを用いているとともに、バックライトからの光を透過して表示を行う透過型の液晶パネルを使用した。
【００９５】
なお、上記液晶パネル２の構成は特に限定されず、適宜公知の液晶パネルを適用することができる。図示は省略するが、液晶パネル２は、例えば、複数のＴＦＴが形成されたアクティブマトリクス基板と、これに対向するカラーフィルタ基板とを備え、これらの基板の間に液晶層がシール材によって封入された構成を有している。
【００９６】
また、上記制御回路６は、液晶パネル２に表示する画像の映像信号ＤＡＴ１・ＤＡＴ２を出力する。上記映像信号ＤＡＴ１・ＤＡＴ２は、上記画像の各画素の表示状態を示す映像データが時分割で転送されてなる。さらには、上記制御回路６は、上記映像信号ＤＡＴ１・ＤＡＴ２とともに、映像信号ＤＡＴ１・ＤＡＴ２を液晶パネル２に正しく表示するためのタイミング信号として、ソースクロック信号ＳＣＫおよびソーススタートパルス信号ＳＳＰを、データ信号線駆動回路３に出力し、ゲートクロック信号ＧＣＫおよびゲートスタートパルス信号ＧＳＰ１を、走査信号線駆動回路４に出力する。
【００９７】
上記走査信号線駆動回路４は、上記ゲートクロック信号ＧＣＫなどのタイミング信号に同期して複数の走査信号線ＧＬを順次選択する。一方、上記データ信号線駆動回路３は、上記ソースクロック信号ＳＣＫなどのタイミング信号に同期して動作し、各データ信号線ＳＬに応じたタイミングを特定し、上記各タイミングで上記映像信号ＤＡＴ１・ＤＡＴ２をサンプリングし、サンプリング結果に応じた信号を、上記各データ信号線ＳＬに書き込む。
【００９８】
上記画素電極７の大きさに分画されている上記液晶パネル２の各画素は、それぞれに対応する走査信号線ＧＬが選択されている間、それぞれに対応するデータ信号線ＳＬに出力されたデータに応じて、それぞれの明るさを制御し、映像信号ＤＡＴ１・ＤＡＴ２が示す画像を表示する構成となっている。
【００９９】
本発明の一実施の形態の液晶表示装置１の上記制御回路６には、さらに、詳しくは後述する比較演算部１０と画像信号変換部１１とが備えられている。なお、本実施の形態においては、上記比較演算部１０と画像信号変換部１１とを上記制御回路６内に設けたが、これに限定されることはない。
【０１００】
上述したように、上記液晶表示装置１に、例えば、図５に示すような特定の表示パターン（キラーパターン）を表示した場合には、リップルが発生し、走査信号線駆動回路４が誤動作され、画像に乱れが生じてしまう。
【０１０１】
したがって、図１に図示されているように、比較演算部１０と画像信号変換部１１とを備えた構成とすることにより、上記特定の表示パターン（キラーパターン）の画像信号がデータ信号線駆動回路３に入力される前に、上記比較演算部１０で、上記画像信号がリップルを発生させる画像信号であるかの判断を行い、リップルが発生するような画像信号である場合には、上記画像信号変換部１１で、リップルの発生を抑制する類似画像信号ＤＡＴ２に変換した後に、上記データ信号線駆動回路３に類似画像信号ＤＡＴ２を送る構成となっている。
【０１０２】
すなわち、上記比較演算部１０は、同一フレームにおける、隣接する２行の走査信号線ＧＬ上の同一列の二つの画素に対して入力される二つの画像信号の電圧差が、第１の列上においては、階調を表示するために必要な最高電圧と最低電圧との電圧差の９０％以上１００％以下であり、第２の列上においては、０Ｖ以上１Ｖ以下であり、かつ、上記第１の列と上記第２の列とが隣接する画像信号が入力された場合には、上記画像信号変換部１１に、画像信号変換信号を出力する。
【０１０３】
さらには、上記比較演算部１０は、上記同一フレームにおける、隣接する２行の走査信号線ＧＬ上の同一列の二つの画素に対して入力される二つの画像信号の電圧差が、第１の列上においては、略階調を表示するために必要な最高電圧と最低電圧との電圧差であり、第２の列上においては、略零である画像信号が入力された場合に、上記画像信号変換部１１に、画像信号変換信号を出力することが好ましい。
【０１０４】
すなわち、上記比較演算部１０は、同一フレームにおける、隣接する２行の走査信号線ＧＬ上の同一列の二つの画像信号の電圧差が、第１の列上においては、階調を表示するために必要な最高電圧と最低電圧との電圧差の９０％以上１００％以下であり、第２の列上においては、０Ｖ以上１Ｖ以下であり、かつ、上記第１の列と上記第２の列とが隣接する画像信号が入力されたかを判断する。
【０１０５】
また、上記画像信号変換部１１は、上記隣接する２行の内の少なくとも１行の走査信号線ＧＬに接続された画素において、第１の列の画素に入力される画像信号と、上記第２の列の画素に入力される画像信号との電圧差が、より小さくなる類似画像信号ＤＡＴ２に、上記画像信号を変換して上記データ信号線駆動回路３に出力する。
【０１０６】
また、さらには、上記類似画像信号ＤＡＴ２が、上記同一行上における第１の列の画素に入力される画像信号の電圧と、上記第２の列の画素に入力される画像信号の電圧との略平均値の電圧を有する信号であることが好ましい。
【０１０７】
上記構成によれば、隣り合う画素同士の充放電で、上記電圧の変化を打ち消すことができるので、リップルの発生を抑制することができる。
【０１０８】
図２は、類似画像信号ＤＡＴ２の一例を示す図である。
【０１０９】
上記類似画像信号ＤＡＴ２は、図２に図示されているように、１画素がＲ、Ｇ、Ｂの３つのサブピクセルから構成され、隣り合う２画素がマゼンタ色とグリーン色を示す画像信号である場合、上記画像信号の代わりにマゼンタ色とグリーン色との混合色である灰色を各画素に示すことができ、これに対応する画像信号とすることもできる。
【０１１０】
以上のように、上記比較演算部１０と上記画像信号変換部１１とを備えた構成とすることにより、上記画像信号を上記のような別の画像信号に切り替えることにより、リップルの発生を抑制することができ、特定の表示パターンを表示する場合に発生する走査信号線駆動回路４の誤動作による画質不具合の発生を抑制することのできる液晶表示装置用駆動回路１２または、液晶表示装置用駆動回路１２の駆動方法を実現することができる。
【０１１１】
また、図１に図示されているように、上記液晶表示装置用駆動回路１２は、最隣接する２行の走査信号線ＧＬ上の画像信号を記憶するため、先入力された行の画像信号を記憶する第１ラインメモリ８と、後入力された行の画像信号を記憶する第２ラインメモリ９とを備えていることが好ましい。
【０１１２】
上記構成とすることにより、上記第１ラインメモリ８には、先入力された行の画像信号を記憶し、上記第２ラインメモリ９には、後入力された行の画像信号を記憶する構成となっており、上記第２ラインメモリ９から上記第１ラインメモリ８に後入力された行の画像信号が出力されると同時に、上記比較演算部１０にも後入力された行の画像信号が出力される。また、上記のタイミングに合わせて第１ラインメモリ８からも上記比較演算部１０に、先入力された行の画像信号が出力されるとともに、上記第１ラインメモリ８に記憶されたデータは、先入力された行の画像信号から後入力された行の画像信号に置き換えられることとなる。
【０１１３】
以上のように、２つのラインメモリ８・９を用いることにより、上記比較演算部１０に同一フレームにおける、最隣接する２行の走査信号線上の画像信号を送ることができる。
【０１１４】
したがって、回路構成を複雑にすることなく、特定の表示パターンを表示する場合に発生する走査信号線駆動回路４の誤動作による画質不具合の発生を抑制することのできる液晶表示装置用駆動回路１２を実現することができる。
【０１１５】
図３は、本発明の一実施の形態の液晶表示装置１に備えられている比較演算部１０と画像信号変換部１１とを示す図である。
【０１１６】
さらに、上記液晶表示装置用駆動回路１２においては、上記画像信号変換部１１は、入力される画像信号に応じて、選択できる第１ルックアップテーブルＬＵＴ１と第２ルックアップテーブルＬＵＴ２とを備えており、上記第１ルックアップテーブルＬＵＴ１及び第２ルックアップテーブルＬＵＴ２には、画像信号の有する輝度情報と階調電圧との相関に関するデータが格納されており、上記第２ルックアップテーブルＬＵＴ２に格納されているデータの階調電圧の幅は、上記第１ルックアップテーブルに格納されているデータの階調電圧の幅よりも狭く、上記画像信号変換部１１は、上記第１ルックアップテーブルＬＵＴ１から第２ルックアップテーブルＬＵＴ２にその選択を変えることで、上記画像信号を変換することが好ましい。
【０１１７】
上記構成によれば、例えば、特定の表示パターン（キラーパターン）以外の画像信号が入力された時用度に、階調と輝度の関係が、ガンマ値２．２のカーブになるように補正するための第１ルックアップテーブルＬＵＴ１と、特定の表示パターン（キラーパターン）の画像信号が入力された時用度に、上記同一行上において、第１の列の画素に入力される画像信号と、上記第２の列の画素に入力される画像信号との電圧差が、より小さくなる類似画像信号ＤＡＴ２に変換するための第２ルックアップテーブルＬＵＴ２（例えば、最高階調を表示するために必要な電圧（最高電圧）と、最低階調を表示するために必要な電圧（最低電圧）との電圧差が、ＬＵＴ１よりも小さくなるような階調と輝度の関係にある。）とを備えた構成とすることができる。
【０１１８】
このような構成によれば、図３に図示されているように、特定の表示パターン（キラーパターン）以外の画像信号が入力された時には、上記比較演算部１０からは、ＬＵＴ１を参照して画像信号の補正を行うための信号が出力され、入力された上記画像信号は、画像信号ＤＡＴ１に補正された後、データ信号線駆動回路３に送られる。
【０１１９】
一方、特定の表示パターン（キラーパターン）の画像信号が入力された時には、上記比較演算部１０からは、ＬＵＴ２を参照して画像信号の補正を行うための信号が出力され、入力された上記画像信号は、画像信号ＤＡＴ２に補正された後、データ信号線駆動回路３に送られる。
【０１２０】
上記構成とすることにより、特定の表示パターン（キラーパターン）以外の画像信号が入力された時と特定の表示パターン（キラーパターン）の画像信号が入力された時とに分けて画像信号の補正を行うことができる液晶表示装置用駆動回路１２を実現することができる。
【０１２１】
また、上記液晶表示装置１は、特定の表示パターンを表示する場合に発生する走査信号線駆動回路４の誤動作による画質不具合の発生を抑制することのできる液晶表示装置用駆動回路１２を備えることにより、特定の表示パターンを表示する場合においても、画質不具合が発生しない液晶表示装置１を実現することができる。
【０１２２】
本発明は上記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０１２３】
本発明は、液晶表示装置を駆動するための液晶表示装置用駆動回路と、液晶表示装置とに適用することができる。
【図面の簡単な説明】
【０１２４】
【図１】本発明の一実施の形態の液晶表示装置の要部構成を示すブロック図である。
【図２】類似画像信号の一例を示す図である。
【図３】本発明の一実施の形態の液晶表示装置に備えられている比較演算部と画像信号変換部とを示す図である。
【図４】従来の液晶表示装置の各種極性反転駆動方式を説明するための図である。
【図５】ドット反転駆動方式を用いて、従来の液晶表示装置を駆動させる時において、走査信号線駆動回路が誤動作され、画像に乱れが生じる表示パターンを例示的に示す図である。
【図６】ＴＦＴを用いた従来のアクティブマトリックス型液晶表示装置の要部構成を示すブロック図である。
【図７】従来の液晶表示装置に備えられている液晶パネルの各画素の等価回路を示しており、走査信号線にリップルが発生することを説明するための図である。
【図８】従来の液晶表示装置に備えられている走査信号線駆動回路の要部構成を示す図である。
【図９】上記走査信号線駆動回路に備えられたロジック電源部を概略的に示す図である。
【図１０】上記走査信号線駆動回路において、信号が誤認識される期間が発生する場合を示す図である。
【図１１】（ａ）は、外部から走査信号線駆動回路に入力されるゲートスタートパルス信号を示し、（ｂ）は、リップル発生時に、上記走査信号線駆動回路内部で認識されるゲートスタートパルス信号または、カスケード信号を示す。
【符号の説明】
【０１２５】
１                    液晶表示装置
３                    データ信号線駆動回路
４                    走査信号線駆動回路
５                    電源回路
６                    制御回路
８                    第１ラインメモリ
９                    第２ラインメモリ
１０                  比較演算部
１１                  画像信号変換部
１２                  液晶表示装置用駆動回路
ＬＵＴ１              第１ルックアップテーブル
ＬＵＴ２              第２ルックアップテーブル
ＤＡＴ１              映像信号
ＤＡＴ２              類似映像信号
ＳＬ                  データ信号線
ＧＬ                  走査信号線
【図１】
2010113300.tif 000003
【図２】
2010113300.tif 000004
【図３】
2010113300.tif 000005
【図４】
2010113300.tif 000006
【図５】
2010113300.tif 000007
【図６】
2010113300.tif 000008
【図７】
2010113300.tif 000009
【図８】
2010113300.tif 000010
【図９】
2010113300.tif 000011
【図１０】
2010113300.tif 000012
【図１１】
2010113300.tif 000013